(57)【要約】【課題】通信端末装置から複合機を介して画像データを送信する際に、送信証を要するか否かを通信装置端末で適宜選択することができるファクシミリ通信システムを提供する。【解決手段】画像データを送信する通信端末装置３と、通信端末装置３から送信された画像データを受信し、受信した画像データをファクシミリ通信又は電子メール通信にて送信する複合機１とを備えるファクシミリ通信システムにおいて、通信端末装置３が画像データの送信開始、及び送信証を要するか否かを受け付け、受付結果に基づいて送信証を要するか否かを示す要否データを複合機１へ送信するように構成し、複合機１に、要否データに基づいて送信証を要するか否かを判定する判定手段と、画像データがファクシミリ通信又は電子メール通信にて送信され、判定手段が送信証を要すると判定した場合、送信証を記録する手段とを備える。【選択図】図１
2007194858.tif 000002
【特許請求の範囲】
【請求項１】
データを送信する第１通信装置と、該第１通信装置が送信したデータを受信し、受信したデータをファクシミリ通信又は電子メール通信にて送信する第２通信装置とを備える通信システムにおいて、
前記第１通信装置は、
データの送信開始及び該データが送信されたことを示す送信証を要するか否かを受け付ける受付手段と、
該受付手段が送信開始を受け付けた場合、前記受付手段の受付結果に基づいて送信証を要するか否かを示す要否データを前記第２通信装置へ送信する送信手段と
を備え、
前記第２通信装置は、
前記送信手段が送信した要否データを受信する受信手段と、
該受信手段が受信した要否データに基づいて送信証を要するか否かを判定する判定手段と、
データが送信され、前記判定手段が送信証を要すると判定した場合、送信証を記録する手段と
を備えることを特徴とする通信システム。
【請求項２】
前記送信手段及び前記受信手段は、
要否データをハイパーテキスト転送プロトコルにて送信及び受信するようにしてある
ことを特徴とする請求項１に記載の通信システム。
【請求項３】
外部装置が送信したデータを受信し、受信したデータをファクシミリ通信又は電子メール通信にて送信する通信装置において、
データの送信開始及び該データが送信されたことを示す送信証を要するか否かを示す要否データを受信する受信手段と、
該受信手段が受信した要否データに基づいて送信証を要するか否かを判定する判定手段と、
データが送信され、前記判定手段が送信証を要すると判定した場合、送信証を記録する記録手段と
を備えることを特徴とする通信装置。
【請求項４】
前記受信手段は、
要否データをハイパーテキスト転送プロトコルにて受信するようにしてある
ことを特徴とする請求項３に記載の通信装置。
【請求項５】
データの送信元を特定するための送信元特定データを受信する手段と、
受信した送信元特定データに基づいて送信元を示す送信証を生成する生成手段と
を備え、
前記記録手段は、
前記生成手段が生成した送信証を記録するようにしてある
ことを特徴とする請求項３又は請求項４に記載の通信装置。
【発明の詳細な説明】
【技術分野】
【０００１】
本発明は、データをファクシミリ通信又は電子メール通信にて送信し、データを送信した場合、データが送信されたことを示す送信証を記録する通信システム及び該通信システムを構成する通信装置に関する。
【背景技術】
【０００２】
パーソナルコンピュータのような通信端末装置から画像データを直接ファクシミリ通信にて送信する「ＰＣ−ＦＡＸ機能」を備えたファクシミリ通信システムが実現されている。ファクシミリ通信システムは、通信端末装置、及びファクシミリ機能を有する複合機からなり、通信端末装置が複合機へ画像データを送信した場合、複合機が該画像データをファクシミリ通信にて送信し、送信に成功した場合、送信されたことを示す送信証を印刷するように構成されている（例えば、特許文献１）。
【０００３】
特許文献１に係るファクシミリ通信システムにおいては、通信端末装置で作成した画像データを、通信端末装置から直接ファクシミリ送信し、画像データが送信されたことを示す送信証を印刷することができる。
【特許文献１】特開平９−１５３９７１号公報
【発明の開示】
【発明が解決しようとする課題】
【０００４】
しかしながら、特許文献１に係るファクシミリ通信システムにおいては、通信端末装置からデータを送信する際に、送信証を要するか否かを適宜選択することができず、送信証が不要な場合であっても送信証が印刷されるという問題があった。
【０００５】
本発明は、斯かる事情に鑑みてなされたものであり、第１通信装置がデータの送信開始及び送信証を要するか否かを受け付け、送信開始を受け付けた場合、送信証を要するか否かを示す要否データを第２通信装置へ送信し、第２通信装置が要否データを受信して、送信証を要すると判定し、データの送信を終えた場合、送信証を記録するように構成することにより、第１通信装置からデータを送信する際に、使用者が送信証を要するか否かを適宜選択し、送信証を記録することができる通信システム及び該通信システムを構成する通信装置を提供することを目的とする。
【０００６】
また、本発明の他の目的は、送信証を要するか否かを示す要否データをハイパーテキスト転送プロトコル（ＨＴＴＰ：Ｈｙｐｅｒ  Ｔｅｘｔ  Ｔｒａｎｓｆｅｒ  Ｐｒｏｔｏｃｏｌ）にて送信及び受信するように構成することにより、第１通信装置のブラウザ上にて、送信証を要するか否かを受け付けることができる通信システム及び該通信システムを構成する通信装置を提供することを目的とする。
【０００７】
更に、本発明の他の目的は、データの送信元を特定するための送信元特定データを受信し、受信した送信元特定データに基づいて、送信元を示す送信証を生成及び記録するように構成することにより、使用者が送信証に基づいて送信元の外部装置を特定することができる通信装置を提供することにある。
【課題を解決するための手段】
【０００８】
第１発明に係る通信システムは、データを送信する第１通信装置と、該第１通信装置が送信したデータを受信し、受信したデータをファクシミリ通信又は電子メール通信にて送信する第２通信装置とを備える通信システムにおいて、前記第１通信装置は、データの送信開始及び該データが送信されたことを示す送信証を要するか否かを受け付ける受付手段と、該受付手段が送信開始を受け付けた場合、前記受付手段の受付結果に基づいて送信証を要するか否かを示す要否データを前記第２通信装置へ送信する送信手段とを備え、前記第２通信装置は、前記送信手段が送信した要否データを受信する受信手段と、該受信手段が受信した要否データに基づいて送信証を要するか否かを判定する判定手段と、データが送信され、前記判定手段が送信証を要すると判定した場合、送信証を記録する手段とを備えることを特徴とする。
【０００９】
第２発明に係る通信システムは、前記送信手段及び前記受信手段が、要否データをハイパーテキスト転送プロトコルにて送信及び受信するようにしてあることを特徴とする。
【００１０】
第３発明に係る通信装置は、外部装置が送信したデータを受信し、受信したデータをファクシミリ通信又は電子メール通信にて送信する通信装置において、データの送信開始及び該データが送信されたことを示す送信証を要するか否かを示す要否データを受信する受信手段と、該受信手段が受信した要否データに基づいて送信証を要するか否かを判定する判定手段と、データが送信され、前記判定手段が送信証を要すると判定した場合、送信証を記録する記録手段とを備えることを特徴とする。
【００１１】
第４発明に係る通信装置は、前記受信手段が、要否データをハイパーテキスト転送プロトコルにて受信するようにしてあることを特徴とする。
【００１２】
第５発明に係る通信装置は、データの送信元を特定するための送信元特定データを受信する手段と、受信した送信元特定データに基づいて送信元を示す送信証を生成する生成手段とを備え、前記記録手段は、前記生成手段が生成した送信証を記録するようにしてあることを特徴とする。
【００１３】
第１及び第３発明にあっては、第１通信装置の受付手段は、画像データの送信開始及び送信証を要するか否かを受け付ける。つまり、受付手段は、送信開始を受け付けると共に、送信証を要するか否かを受け付ける。従って、通信システムの使用者は、データを送信する際に、送信証を要するか否かを適宜選択することができる。
そして、第１通信装置の送信手段は、画像データの送信開始を受け付けた場合、送信証を要するか否かを示す要否データ及び送信対象のデータを第２通信装置へ送信する。
第２通信装置の受信手段は、第１送信装置から送信された要否データ及びデータを受信し、判定手段は、要否データに基づいて送信証を要するか否かを判定する。そして、第２通信装置は、データをファクシミリ通信又は電子メール通信にて送信する。データが送信され、判定手段が送信証を要すると判定した場合、送信証が記録される。判定手段が送信証を不要であると判定した場合、送信証は記録されない。
【００１４】
特に、前記受付手段が、データの送信開始及び送信証を要するか否かを受け付けるための送信受付画面を表示する表示手段を備え、該表示手段が表示した単一の送信受付画面にて、送信開始及び送信証を要するか否かを受け付けるように構成した場合、使用者は、単一の送信受付画面にて送信証を要するか否かを選択し、送信開始を指示することができるため、送信証を要するか否かを選択し忘れる虞はない。従って、不要な送信証が記録されることを防ぎ、且つ必要な送信証を漏れなく記録することができる。
【００１５】
第２及び第４発明にあっては、第１通信装置は、送信証を要するか否かを示す要否データをハイパーテキスト転送プロトコル、例えばハイパーテキスト転送プロトコルのｐｏｓｔメソッドにて送信し、第２通信装置は、前記データをハイパーテキスト転送プロトコルにて受信する。従って、ハイパーテキスト転送プロトコルにてデータを送信するためのブラウザを第１通信装置で利用することができる場合、第１通信装置は、ブラウザ上で画像データの送信開始及び送信証を要するか否かを受け付け、要否データを第２通信装置へ送信することができる。
【００１６】
第５発明にあっては、通信装置は、データの送信元を特定するための送信元特定データを受信する。そして、生成手段は、受信した送信元特定データに基づいて送信元を示す送信証を生成する。
データがファクシミリ通信又は電子メール通信にて送信され、判定手段が送信証を要すると判定した場合、記録手段は、生成手段が生成した送信証、つまり送信元を示す送信証を記録する。
【発明の効果】
【００１７】
本発明にあっては、使用者は、第１通信装置から画像データを送信する際に、送信証を要するか否かを適宜選択し、送信証を記録することができる。
【００１８】
本発明にあっては、第１通信装置のブラウザ上にて、送信証を要するか否かを受け付けることができる。
【００１９】
本発明にあっては、使用者が送信証に基づいて送信元の外部装置を特定することができる。
【発明を実施するための最良の形態】
【００２０】
以下、本発明をその実施の形態を示す図面に基づいて詳述する。
図１は、本発明の実施の形態に係るファクシミリ通信システムの構成を示すブロック図である。実施の形態に係るファクシミリ通信システムは、ファクシミリ機能、コピー機能、ＨＴＴＰサーバ機能等を有する複合機１及びＨＴＴＰクライアント機能を有するパーソナルコンピュータのような通信端末装置３から構成されており、画像データを通信端末装置３から複合機１を介して直接ファクシミリ又は電子メール送信するように構成されている。
【００２１】
複合機１は、ＣＰＵを有する制御部１１、原稿を読み取り、原稿の画像データを取得する読取部１３、取得した画像データを一時的に蓄積する画像メモリ１６、及び画像メモリ１６に蓄積された画像データに基づいて、画像を用紙に記録、つまり印刷するプリンタ部１５を備えている。制御部１１は、バス２４を介して画像データの取得及び記録を制御することで、コピー機能を実現するように構成されている。
【００２２】
バス２４には、ＲＯＭ１８及びＲＡＭ２０が接続されている。ＲＯＭ１８は、フラッシュメモリからなり、複合機１の動作に必要な各種制御プログラムを格納している。制御部１１は、ＲＯＭ１８に格納されている制御プログラムをＲＡＭ２０に読み出して実行することにより、複合機１のコピー機能、ファクシミリ機能等の各種機能を実現する。
【００２３】
読取部１３は、原稿に光を照射する光源、原稿で反射された反射光を電気信号に変換するラインＣＣＤ等の光学素子を備えており、ラインＣＣＤが変換した電気信号に基づいて原稿の画像データを取得する。そして、読取部１３は、取得した画像データを画像メモリ１６に与える。
【００２４】
プリンタ部１５は、感光ドラム、定着器等を備える電子写真方式のプリンタ装置であって、印刷処理用のプログラムを格納した図示しないフラッシュＲＯＭを備えており、フラッシュＲＯＭに格納されたプログラムに従って、画像データに係る画像を用紙に印刷する。
【００２５】
また、複合機１は、ファクシミリ通信により画像データを送受信するためのＮＣＵ（Ｎｅｔｗｏｒｋ  Ｃｏｎｔｒｏｌ  Ｕｎｉｔ）１２及びモデム１４、並びに送受信される画像データを所定の符号化方式、例えばＭＨ，ＭＲ，ＭＭＲ等の符号化方式に従って符号化及び復号化する符号化・復号化部２２を備えており、制御部１１は、画像データの送受信、原稿の読み取り、画像の印刷を制御することで、ファクシミリ機能を実現する。
【００２６】
モデム１４は、バス２４に接続されており、公衆電話回線網（ＰＳＴＮ：Ｐｕｂｌｉｃ  Ｓｗｉｔｃｈｅｄ  Ｔｅｌｅｐｈｏｎｅ  Ｎｅｔｗｏｒｋ）から入力されたアナログの画像データをデジタルの画像データに復調し、また制御部１１の制御によってバス２４を介して画像メモリ１６から与えられた画像データをアナログの信号に変調する機能を備えている。
【００２７】
ＮＣＵ１２は、公衆電話回線網との回線５の閉結及び開放の動作を行うハードウェアであり、制御部１１の制御に応じてモデム１４とＰＳＴＮとを接続する。
【００２８】
符号化・復号化部２２は、制御部１１の制御に応じて、読取部１３が読み取った画像データを符号化して、符号化した画像データをモデム１４に与える。また、符号化・復号化部２２は、ファクシミリ通信にて受信した画像データを復号化して、画像メモリ１６に蓄える。
【００２９】
更に、複合機１は、バス２４に接続されたＬＡＮインタフェース２１を備えている。ＬＡＮインタフェース２１は、ＬＡＮ４を介して、外部の通信端末装置３から送信された画像データ、画像データの送信先を示すファクシミリ番号、メールアドレス、送信元を特定するための送信元特定データ、画像データが送信されたことを示す送信証を要するか否かを示す要否データ等を受信するためのインタフェースである。
【００３０】
制御部１１は、通信端末装置３から送信された画像データをＴＩＦＦ又はＰＤＦ形式の画像データに変換する機能を備えており、送信先としてファクシミリ番号を受信した場合、変換した画像データを符号化・復号化部２２にて符号化し、符号化した画像データをモデム１４に与えることで、該画像データを、ファクシミリ通信にて送信するように構成されている。また、制御部１１は、送信先としてメールアドレスを受信した場合、変換した画像データを添付したメールを電子メール通信にて送信することで、前記画像データを送信するように構成されている。
【００３１】
また、バス２４には、複合機１を操作するための操作部１９、表示部１７、及び日時を計時する時計部２３が接続されている。表示部１７は、複合機１の動作状態、複合機１を操作するためのソフトキーを表示する液晶ディスプレイを備えている。
【００３２】
操作部１９は、表示部１７に対向配置された抵抗膜方式、又は静電容量方式のタッチパネルを備え、表示部１７に表示されたソフトキーの操作を受け付け、制御部１１がタッチパネルの操作状態を検出することができるように構成されている。
また、操作部１９は、押しボタン式のキー、例えば印刷部数を設定するためのテンキー、印刷部数等の各種設定を初期化するためのリセットキー等を備えている。
【００３３】
図２は、通信端末装置３を示すブロック図である。
通信端末装置３は、制御部３１、ＲＯＭ３２、ＲＡＭ３４、及び記憶装置３３を備えており、ＲＯＭ３２、ＲＡＭ３４及び記憶装置３３は、バス３８を介して制御部３１に接続されている。
記憶装置３３は、通信端末装置３のホスト名、グループ名等の送信元を示す送信元特定データを記憶している。
ＲＯＭ３２及び記憶装置３３は、制御部３１の動作に必要なプログラムを記憶しており、制御部３１は、ＲＯＭ３２及び記憶装置３３が記憶しているプログラムをＲＡＭ３４に読み出して実行することにより、画像データ、並びに該画像データの送信先、送信元、及び送信証を要するか否かを示すデータをハイパーテキスト転送プロトコルのｐｏｓｔメソッドにて送信するＨＴＴＰクライアント機能を実現する。
【００３４】
また、バス３８には、液晶ディスプレイ等の表示装置６が接続される第１インタフェース３６と、マウス、キーボード等の入力装置７が接続される第２インタフェース３７と、が接続されている。
【００３５】
図３は、複合機１への画像データの送信に係る制御部３１の処理手順を示すフローチャート、図４及び図５は、画像データの送信に係る送信受付画面８の模式図である。
通信端末装置３の制御部３１は、図４及び図５に示すように、送信先のファクシミリ番号、メールアドレス、送信する画像データ、送信証を要するか否かを受け付けるための送信受付画面８をブラウザ上に表示する（ステップＳ１１）。具体的には、制御部３１は、送信の受付を複合機１に要求し、要求に応じて複合機１から送信された送信受付画面８を表示するためのＨＴＭＬデータを、ハイパーテキスト転送プロトコルにて受信し、受信したＨＴＭＬデータに基づいて送信受付画面８をブラウザに表示する。
送信受付画面８は、送信先のファクシミリ番号及び電子メールを入力するためのテキストエリア８０，８１、送信する画像データを選択するためのメニュー８２、送信証を要するか否かを示すラジオボタン８３、送信ボタン、取り消しボタン等をフォームに配して構成されている。
【００３６】
次いで、制御部３１は、送信先のファクシミリ番号及びメールアドレスを受け付ける（ステップＳ１２）。そして、制御部３１は、送信する画像データを受け付ける（ステップＳ１３）。また、制御部３１は、送信証を要するか否かを受け付ける（ステップＳ１４）。送信証を要することを受け付けた場合、制御部３１は、図４に示すように、送信証を要することが選択された状態にあることを示す送信受付画面８を表示する。また、送信証を要しないことを受け付けた場合、制御部３１は、図５に示すように、送信証を要しないことが選択された状態にあることを示す送信受付画面８を表示する。
【００３７】
次いで、制御部３１は、送信ボタンの操作状態を検出することで、送信ボタンが操作されたか否かを判定する（ステップＳ１５）。つまり、制御部３１は、送信ボタン上にカーソルがある状態でマウスのボタンがクリックされたことを検出した場合、送信ボタンが操作されたと判定する。
送信ボタンが操作されていないと判定した場合（ステップＳ１５：ＮＯ）、制御部３１は、処理をステップＳ１１に戻す。
送信ボタンが操作されたと判定した場合（ステップＳ１５：ＹＥＳ）、制御部３１は、ステップＳ１３で受け付けた画像データを、ハイパーテキスト転送プロトコルのｐｏｓｔメソッドにて複合機１へ送信する（ステップＳ１６）。
【００３８】
次いで、制御部３１は、ステップＳ１２で受け付けたファクシミリ番号、メールアドレス、記憶装置３３が記憶している送信元特定データ、及びステップＳ１４で受け付けた送信証の有無を示す要否データを、ハイパーテキスト転送プロトコルにて、複合機１へ送信する（ステップＳ１７）。制御部３１は、ステップＳ１７の処理を終えた場合、画像データの送信に係る処理を終える。
【００３９】
図６及び図７は、ファクシミリ通信に係る制御部１１の処理手順を示すフローチャートである。
複合機１の制御部１１は、ＬＡＮインタフェース２１を介して、ハイパーテキスト転送プロトコルのｐｏｓｔメソッドにてデータを受信したか否かを判定する（ステップＳ５１）。データを受信していないと判定した場合（ステップＳ５１：ＮＯ）、制御部１１は、処理をステップＳ５１に戻す。
【００４０】
データを受信したと判定した場合（ステップＳ５１：ＹＥＳ）、制御部１１は、画像データを受信したか否かを判定する（ステップＳ５２）。画像データを受信していないと判定した場合（ステップＳ５２：ＮＯ）、制御部１１は、処理をステップＳ５１に戻す。画像データを受信したと判定した場合（ステップＳ５２：ＹＥＳ）、制御部１１は、受信した画像データを画像メモリ１６に記憶させる（ステップＳ５３）
【００４１】
ステップＳ５３の処理を終えた場合、制御部１１は、ファクシミリ番号、メールアドレス、送信元特定データ、及び送信証を要するか否かを示す要否データを受信したか否かを判定する（ステップＳ５４）。ファクシミリ番号、メールアドレス等を受信したと判定した場合（ステップＳ５４：ＹＥＳ）、制御部１１は、ファクシミリ番号、メールアドレス、送信元特定データ及び要否データを記憶する（ステップＳ５５）。ファクシミリ番号、メールアドレス等を受信していないと判定した場合（ステップＳ５４：ＮＯ）、制御部１１は、処理をステップＳ５１に戻す。
【００４２】
ステップＳ５５の処理を終えた場合、制御部１１は、ファクシミリ番号又はメールアドレスに基づいて、画像データを送信する（ステップＳ５６）。送信先としてファクシミリ番号を受信した場合、制御部１１は、画像データを、符号化・復号化部２２にて符号化し、符号化した画像データをモデム１４に与えることで、画像データをファクシミリ通信にて送信する。送信先としてメールアドレスを含む場合、制御部１１は、画像データをＴＩＦＦ又はＰＤＦ形式の画像データに変換し、変換した画像データを、メールアドレスで特定される送信先へ、電子メール通信にて送信する。
【００４３】
次いで、制御部１１は、送信完了の信号を検出することで、画像データの送信に成功したか否かを判定する（ステップＳ５７）。送信に失敗したと判定した場合（ステップＳ５７：ＮＯ）、制御部１１は、後述の画像データ削除に係るステップＳ６２の処理を実行する。送信に成功した場合（ステップＳ５７：ＹＥＳ）、制御部１１は、要否データに基づいて、送信証を要するか否かを判定する（ステップＳ５８）。
【００４４】
送信証を要すると判定した場合（ステップＳ５８：ＹＥＳ）、制御部１１は、時計部２３から送信日時を取得し（ステップＳ５９）、送信先のファクシミリ番号及びメールアドレス、送信元特定データで特定される送信元、送信日時等を含む送信証の画像データを生成する（ステップＳ６０）。
【００４５】
そして、制御部１１は、ステップＳ６０で生成した画像データをプリンタ部１５に与えることにより、送信証の画像を用紙に印刷する（ステップＳ６１）。
【００４６】
ステップＳ６１の処理を終えた場合、ステップＳ５８で送信証は不要であると判定した場合（ステップＳ５８：ＮＯ）、制御部１１は、送信証の画像データを画像メモリ１６から削除し（ステップＳ６２）、ファクシミリ通信に係る処理を終える。
【００４７】
図８は、複合機１が印刷した通信証の模式図である。
送信証は、送信元特定データで特定されるホスト名、例えば「Ｍｕｒａｔａ」、送信先のファクシミリ番号又はメールアドレス、送信日時、及びファクシミリ通信にて画像データを送信したことを示す「ＰＣ−ＦＡＸ」の文字が用紙に印刷されたものである。
【００４８】
このように構成されたファクシミリ通信システムにおいては、通信端末装置３から複合機１を介して画像データを送信する際に、ファクシミリ通信システムの使用者は、送信証を要するか否かを適宜選択し、必要に応じて送信証を複合機１に印刷させることができる。従って、不要な送信証が印刷されることを防ぐことができる。
【００４９】
また、ファクシミリ番号又はメールアドレス等の送信先、送信開始、送信証を要するか否かを、単一の送信受付画面で受け付けるように構成しているため、使用者は、画像データを送信する際に、送信証を要するか否かを忘れることなく確認することができる。従って、不要な送信証が印刷されることを防ぎ、且つ必要な送信証を漏れなく印刷することができる。
【００５０】
更に、送信証を要するか否かをラジオボタン８３で受け付けるように構成しているため、使用者は、送信証を要するか否かのいずれが選択されているかを視認することができ、送信証が印刷されるか否かをより誤りなく認識することができる。
【００５１】
更にまた、使用者に馴染みあるブラウザ上で送信先のファクシミリ番号、メールアドレス、送信開始、送信証を要するか否かを受け付けるように構成してあるため、使用者は、簡易に送信証を要するか否かを選択し、実施の形態に係るファクシミリ送信を利用することができる。
【００５２】
更にまた、通信端末装置３は、複合機１から送信された送信受付画面のＨＴＭＬデータを受信して、送信受付画面をブラウザに表示し、ファクシミリ番号、メールアドレス、送信証を要するか否かを受け付ける。従って、専用のクライアントソフトを通信端末装置３にインストールすることなく、通信端末装置３は、送信証を要するか否かを受け付けて、画像データを複合機１へ送信することができる。つまり、ブラウザを利用可能なＨＴＴＰクライアント機能を有する通信端末装置３をＬＡＮ４に接続した場合、直ちに本実施の形態に係るファクシミリ送信を利用することができる。
【００５３】
本発明にあっては、送信元のホスト名を含む送信証が印刷されるため、送信証から送信元の外部装置を特定することができる。
【００５４】
なお、実施の形態にあっては、ファクシミリ通信機能及び電子メール送信機能を有する複合機にてシステムを構成するように構成してあるが、他の通信装置、例えばファクシミリ通信機能を有するファクシミリ装置にてシステムを構成しても良い。
【００５５】
また、画像データを送信する送信元として、パーソナルコンピュータを説明したが、これに限らず、他の通信装置にてシステムを構成しても良い。
【００５６】
更に、ラジオボタンで送信証の要否を受け付けるように構成してあるが、他の方法、例えばメニュー又はチェックボックスを用いて送信証の要否を受け付けるように構成しても良い。
【００５７】
更にまた、通信端末装置から複合機を介して、画像データを送信するように構成してあるが、画像データに限らず、テキスト形式の文書データを送信するように構成しても良い。
【００５８】
更にまた、ハイパーテキスト転送プロトコルにて要否データを送受信するように構成してあるが、他のプロトコルにて要否データを送受信するように構成しても良い。
【００５９】
更にまた、送信元特定データが通信端末装置のホスト名を示す実施の形態を説明したが、送信元を示すことができるのであれば、他の情報、例えば通信端末装置で認証されているユーザの名称、グループ名等を送信元特定データとして複合機へ送信し、ユーザ名、グループ名等を送信証に印刷するように構成しても良い。
【図面の簡単な説明】
【００６０】
【図１】本発明の実施の形態に係るファクシミリ通信システムの構成を示すブロック図である。
【図２】通信端末装置を示すブロック図である。
【図３】複合機への画像データの送信に係る制御部の処理手順を示すフローチャートである。
【図４】画像データの送信に係る送信受付画面の模式図である。
【図５】画像データの送信に係る送信受付画面の模式図である。
【図６】ファクシミリ通信に係る制御部の処理手順を示すフローチャートである。
【図７】ファクシミリ通信に係る制御部の処理手順を示すフローチャートである。
【図８】通信証の模式図である。
【符号の説明】
【００６１】
１  複合機
３  通信端末装置
４  ＬＡＮ
６  表示装置
７  入力装置
１１  制御部
１２  ＮＣＵ
１３  読取部
１４  モデム
１５  プリンタ部
１６  画像メモリ
２１  ＬＡＮインタフェース
２２  符号化・復号化部
２３  時計部
３１  制御部
３３  記憶装置
３５  ＬＡＮインタフェース
【図１】
2007194858.tif 000003
【図２】
2007194858.tif 000004
【図３】
2007194858.tif 000005
【図４】
2007194858.tif 000006
【図５】
2007194858.tif 000007
【図６】
2007194858.tif 000008
【図７】
2007194858.tif 000009
【図８】
2007194858.tif 000010